(57)【要約】【課題】瞬時かつ容易に遺体腐敗防止対策である保冷剤の出し入れ可能で、火葬時に棺内を乱す事無く保冷剤を除去でき、ダイオキシンを発生させない環境にやさしい棺を提供することを目的とする。【解決手段】撥水加工及び防水加工が施された紙及びリサイクル素材及び焼却時に有害物質が発生しない素材からなり、複数の円形又は四角形の筒が連結しコの字型を形成し両端より保冷剤が出し入れ自在な保冷剤投入部（１）と、該保冷剤投入部の形状に合わせて表面を覆った遺体収納ケース（２）と、必要箇所に保冷剤を迅速に投入する為に保冷剤出し入れ口を覆う該遺体収納ケース両側面が予め保冷剤投入部の形状に型押され容易に抜取ること可能な保冷剤投入口型押（３）と、保冷剤投入部蓋（４）が設けられ、該保冷剤投入部が遺体の重圧による棺の型崩れを防ぐ補強である手段を講じたものである。【選択図】　図６
2004016770.tif 000002
【特許請求の範囲】
【請求項１】
撥水加工及び防水加工が施された紙及びリサイクル素材及び焼却時に有害物質が発生しない素材からなり、複数の円形又は四角形の筒が連結しコの字型を形成し両端より保冷剤が出し入れ自在な保冷剤投入部（１）と、該保冷剤投入部の形状に合わせて表面を覆った遺体収納ケース（２）と、必要箇所に保冷剤を迅速に投入する為に保冷剤出し入れ口を覆う該遺体収納ケース両側面が予め保冷剤投入部の形状に型押され容易に抜取ること可能な保冷剤投入口型押（３）と、保冷剤投入部蓋（４）が設けられ、該保冷剤投入部が遺体の重圧による棺の型崩れを防ぐ補強であることを特徴とする、環境にやさしい棺。
【発明の詳細な説明】
【０００１】
【発明の属する技術分野】本発明は、構造が簡単で強固であり、環境汚染防止対策を重視した環境にやさしい棺に関するものである。
【０００２】
【従来の技術】一般に、葬儀に使用する棺は木製が主流である。棺の木材は遺族の希望に添って選択される。又、火葬時まで遺体の腐敗防止の為、棺内の遺体脇にドライアイスを投入し数回に渡る入替え作業が行われている。
【０００３】しかし近年、火葬場のダイオキシン発生問題が深刻化している。従来、人の遺体はごみではないという立場から火葬場は大気汚染防止法やダイオキシン類対策特別措置法の対象外であったが、火葬率約９９％の日本において今後高齢化が進み死亡人口が増加するとごみ焼却によるダイオキシン排出量の約３５％に近くになりうるとされている。
【０００４】ダイオキシンは８００度以上の連続燃焼で発生を抑えられるが、火葬の場合１２００度以上の熱で焼却すると遺骨が残らず灰になってしまう恐れがある為、焼却温度操作では解決することが不可能である。
【０００５】最近の棺はベニヤの張り合わせ及び木のチップを固めたもので接着剤並びに塗料がダイオキシン発生源であり、又遺体腐敗防止対策として投入されるドライアイスも焼却時にダイオキシンを発生させている。
【０００６】こうした問題に対処すべく環境保護の観点から最近では紙製の棺が開発されている。紙製の棺は環境保護対策のみならず低価格で製造できるのでコスト削減や重量を生かした災害時対策として利用価値が高まっている。
【０００７】しかしながら、従来の紙製の棺は素材の特質上ドライアイス等長時間に渡る保冷剤の投入には適さず、特に保冷剤が必要とされる高気温の夏場における使用は難しかった。又、紙製棺は木製と比較し強度が弱い為、遺体の重量による型崩れや外部からの衝撃により破損する恐れがあった。
【０００８】又、従来の木製及び紙製棺はいずれもドライアイス等保冷剤を遺体と一緒に棺内に投入している為、火葬時に投入した保冷剤除去作業を行わず保冷剤は遺体と供に焼却されている。火葬直前の棺内は遺族及び親族によって生花や副葬品が収められている為、保冷剤の除去作業は時間を要し困難である為である。
【０００９】
【発明が解決しようとする課題】本発明は、上記問題点を鑑みてなされたものであり、瞬時かつ容易に遺体腐敗防止対策である保冷剤の出し入れ可能で、火葬時に棺内を乱す事無く保冷剤を除去でき、ダイオキシンを発生させない環境にやさしい棺を提供することを目的とする。
【００１０】
【課題を解決するための手段】撥水加工及び防水加工が施された紙及びリサイクル素材及び焼却時に有害物質が発生しない素材からなり、複数の円形又は四角形の筒が連結しコの字型を形成し両端より保冷剤が出し入れ自在な保冷剤投入部（１）と、該保冷剤投入部の形状に合わせて表面を覆った遺体収納ケース（２）と、必要箇所に保冷剤を迅速に投入する為に保冷剤出し入れ口を覆う該遺体収納ケース両側面が予め保冷剤投入部の形状に型押され容易に抜取ること可能な保冷剤投入口型押（３）と、保冷剤投入部蓋（４）が設けられ、該保冷剤投入部が遺体の重圧による棺の型崩れを防ぐ補強である手段を講じたものである。
【００１１】
【発明の実施の形態】以下、本発明の実施の形態を図面に従って詳細に説明する。図１は本発明に係る、保冷剤投入部１の側面図であり、図２は該保冷剤投入部の平面図であり、図３は該保冷剤投入部の立体図である。
【００１２】１の保冷剤投入部は円形及び四角形で空洞の筒を複数本連結させコの字型を形成したものであり、ドライアイス及び冷凍によって繰り返し使用することが可能な保冷剤を投入する為に筒状になっている。該保冷剤投入部は棺の底面及び両側面に位置し収納する遺体を囲むようになっているので、季節や気温によって投入する保冷剤数を調整することができる。
【００１３】該保冷剤投入部は保冷剤投入による遺体の保冷効果のみならず棺の補強効果がある。厚紙のみの場合強い衝撃や重量によって破れたり陥没し易いが、棺内部に該連結した筒を設けることで耐久性が高くなり破損防止につながる。該保冷剤投入部を四角形に形成すればより高い保冷効果が得られ、そして該保冷投入部を円形に形成すれば補強効果がより高く得られるので、目的によって該保冷剤投入部を構成する筒を形成し使い分けることができる。
【００１４】図４は本発明に係る、遺体収納ケース２の側面図であり、図５は該遺体収納ケースの立体図であり、図６は保冷剤投入部蓋の立体図である。
【００１５】２の遺体収納ケースは該保冷剤投入部の形状に合わせてコの字型に形成し両側面を覆った箱型であり、該遺体収納ケース内部に遺体が収納される。この時点で該保冷剤投入部前面は覆われ保冷剤を投入する事はできず、外観に該保冷材投入部は露出していない保冷剤を投入する場合は、該遺体収納ケースの該保冷剤投入部出し入れ口を覆う部分を除去しなければならない。除去作業を迅速並びに容易に行う為に３の保冷剤投入口型押は該遺体収納ケース両側面に設けられている。該保冷剤投入口型押は容易に除去できるよう該保冷剤投入部の形状に合わせて予め型押されている。該保冷剤投入口型押を手で押すことにより道具を使用することなく保冷剤投入口を覆う部分を簡単に抜取り、素早く保冷剤を投入する事ができる。
【００１６】４の保冷剤投入部蓋は保冷剤投入にあたって抜取られた該遺体収納ケースの保冷剤投入箇所の蓋である。はめ込み式構造なので容易に蓋をする事ができると同時に、保冷剤投入箇所が瞬時に識別できるので火葬時に投入した保冷剤を即座に取除くことができる。又、季節や気温に合わせて投入する保冷剤の箇所や数が変化するが、保冷剤投入箇所のみ蓋を使用するので経済的である。
【００１７】該保冷剤投入部及び該遺体収納ケース及び保冷剤投入口型押及び該保冷剤投入部蓋はいずれも撥水加工及び防水加工が施された紙及びリサイクル素材及び焼却時に有害物質が発生しない素材からなり火葬時にダイオキシンを発生させない。
【００１８】図７は本発明の、環境にやさしい棺の立体図である。該保冷剤投入部（１）と、該遺体収納ケース（２）と、該保冷剤投入口型押（３）と、保冷剤投入部蓋（４）が設けられた、環境にやさしい棺である。
【００１９】該環境にやさしい棺内部に遺体が収納される。通常は遺体と一緒に生花等遺族の希望するものが棺内に収められる。遺体収納部と保冷剤投入部は分かれているので、棺内を乱すことなく保冷剤投入及び入替え作業を行うことができる。また移動の際は該保冷剤投入部の補強効果により該環境にやさしい棺が崩れ難く、火葬の際は害保冷材投入部蓋により保冷剤投入箇所を瞬時に識別でき遺体に接触する事無く迅速に保冷剤を除去することが可能である。
【００２０】
【発明の効果】本発明の環境にやさしい棺によれば、現在深刻化している火葬場のダイオキシン発生問題において、発生源となっている遺体の腐敗を防止するドライアイスを遺体に接触する事無く容易かつ迅速に除去できるのでダイオキシン発生率を削減することができる。
【００２１】また、構造上保冷剤投入部は遺体が収納されている棺内部と別室に位置するので、作業員側は迅速勝つ容易に投入及び除去作業が行え、遺族側にとっては大事な遺体を作業員によって接触及び乱される心配はない。
【００２２】また保冷剤を用意に除去できるという点からドライアイスではなく再利用可能な保冷剤を用いれば、繰り返し使用できコスト削減だけなくゴミ問題にも対応できる。
【図面の簡単な説明】
【図１】請求項１に記す保冷剤投入部１の実施形態の側面図である。
【図２】請求項１に記す保冷剤投入部１の実施形態の平面図である。
【図３】請求項１に記す保冷剤投入部１の実施形態の立体図である。
【図４】請求項１に記す遺体収納ケース２の実施形態の側面図である。
【図５】請求項１に記す遺体収納ケース２の実施形態の断面図である。
【図６】請求項１の環境にやさしい棺の実施形態の立体図である。
【図７】請求項１に記す保冷剤投入部蓋の実施形態の平面図である。
【図８】請求項１に記す保冷剤投入部蓋の実施形態の側面図である。
【符号の説明】
１・・保冷剤投入部
２・・遺体収納ケース
３・・保冷剤投入口型押
４・・保冷剤投入部蓋
【図１】
2004016770.tif 000003
【図２】
2004016770.tif 000004
【図３】
2004016770.tif 000005
【図４】
2004016770.tif 000006
【図５】
2004016770.tif 000007
【図６】
2004016770.tif 000008
【図７】
2004016770.tif 000009
【図８】
2004016770.tif 000010